(57)【特許請求の範囲】
【請求項１】
主梱包物を支持する底板(1)と、この底板(1)の一辺に連設されて起立する側板(2)と、この側板(2)の側辺又は底板(1)の他辺に連設されて底板(1)に対し起立する側板(3)と、これらの側板(2,3)のいずれかの上辺に連設されて主梱包物の上方に被さる天板(4)と、他の上辺に連設された付属固定板(5)とを備え、この付属固定板(5)に根元罫線(10)と先端との間で幅方向に延びる高さ可変罫線(11)を入れ、天板(4)への副梱包物の載置の有無及び副梱包物が載置される場合にはそのサイズに応じて、付属固定板(5)を高さ可変罫線(11)に沿って又は根元罫線(10)で天板(4)の上方へ折り曲げるようにした梱包用保護パッド。
【請求項２】
前記天板(4)に、切り起こされるストッパ片(12)を設け、天板(4)に載せた副梱包物に起立させたストッパ片(12)を当接させて、天板(4)の上面における副梱包物のずれ動きを防止するようにしたことを特徴とする請求項１に記載の梱包用保護パッド。
【発明の詳細な説明】
【技術分野】
【０００１】
この発明は、主梱包物と様々なサイズの副梱包物を同梱して保護できる梱包用保護パッドに関するものである。
【背景技術】
【０００２】
従来、下記特許文献１には、図９に示すように、録画装置や音響装置等の梱包物Ｍ11を段ボール製の保護パッドＰ11に嵌め込んで、外箱５３に収納し、取扱説明書Ｒを上部スペーサー５４に挿入して、上部スペーサー５４を保護パッドＰ11の上方に載せ、これらを収納した状態で、外箱５３を封緘する梱包態様が記載されている。
【０００３】
この梱包において使用される保護パッドＰ11は、底壁５１の両側にコ字状とした角筒構造の側壁５２を立設し、底壁５１の上方で対向する側壁５２の間に形成された収容空間に梱包物Ｍ11を嵌め込むものである。
【０００４】
また、下記特許文献２には、図１０に示すように、タイル等の板状体Ｔを複数枚積層して包装する段ボール製の保護パッドＰ12として、板状体Ｔが載置される底部６１の両側の側部６２にそれぞれ複数本の折目線６３を入れ、板状体Ｔの積層高さに応じて選択した折目線６３に沿って側部６２を折り曲げることにより、板状体Ｔの積層高さの違いに関わらず、これを包み込んで保護できるようにしたものが記載されている。
【０００５】
ところで、例えば、電気温水器の梱包に際しては、設置場所等の条件によって同梱される付属品が異なり、付属品には種々のサイズのものがあることから、主梱包物である電気温水器を図９に示す保護パッドＰ11のようなもので保護すると共に、副梱包物である付属品を図１０に示す保護パッドＰ12のようなもので保護することが考えられる。
【先行技術文献】
【特許文献】
【０００６】
【特許文献１】特開２００６−２９０３５９号公報
【特許文献２】特開平７−１５６９８３号公報
【発明の概要】
【発明が解決しようとする課題】
【０００７】
しかしながら、上記のように電気温水器を梱包する場合、主梱包物用の保護パッドに加え、副梱包物用として、サイズの異なる付属品に対応した複数種の保護パッドを用意する必要があり、資材管理や梱包作業が煩雑になるという問題がある。
【０００８】
そこで、この発明は、主梱包物と様々なサイズの副梱包物の同梱に兼用できる保護パッドを提供することを課題とする。
【課題を解決するための手段】
【０００９】
上記のような課題を解決するため、この発明は、主梱包物を支持する底板と、この底板の一辺に連設されて起立する側板と、この側板の側辺又は底板の他辺に連設されて底板に対し起立する側板と、これらの側板のいずれかの上辺に連設されて主梱包物の上方に被さる天板と、他の上辺に連設された付属固定板とを備え、この付属固定板に根元罫線と先端との間で幅方向に延びる高さ可変罫線を入れ、天板への副梱包物の載置の有無及び副梱包物が載置される場合にはそのサイズに応じて、付属固定板を高さ可変罫線に沿って又は根元罫線で天板の上方へ折り曲げるようにしたのである。
【００１０】
また、前記天板に、切り起こされるストッパ片を設け、天板に載せた副梱包物に起立させたストッパ片を当接させて、天板の上面における副梱包物のずれ動きを防止するようにしたのである。
【発明の効果】
【００１１】
この発明に係る保護パッドでは、主梱包物を底板、側板及び天板で保護すると共に、様々なサイズの副梱包物を天板に載せ、高さ可変罫線に沿って折り曲げた付属固定板で保護した状態で同梱でき、副梱包物がない場合には、付属固定板を根元で折り曲げて天板の上面に重ねておくことができるので、複数種の保護パッドを用意する必要がなくなり、資材管理や梱包作業の負担を軽減することができる。
【図面の簡単な説明】
【００１２】
【図１】この発明の実施形態に係る梱包用保護パッド及びこれを挿入するトレイのブランクを示す図
【図２】同上のトレイの組立状態を示す斜視図
【図３】同上の保護パッドの組立過程を示す斜視図
【図４】同上の保護パッドによる主梱包物の梱包過程を示す斜視図
【図５】同上の副梱包物がない場合の梱包状態を示す斜視図
【図６】同上の小型の副梱包物を同梱する場合の梱包状態を示す斜視図
【図７】同上の大型の副梱包物を同梱する場合の梱包状態を示す斜視図
【図８】同上の（ａ）副梱包物がない場合、（ｂ）小型の副梱包物を同梱する場合、（ｃ）大型の副梱包物を同梱する場合の梱包状態を示す縦断側面図
【図９】特許文献１に記載された保護パッドによる梱包態様を示す斜視図
【図１０】特許文献２に記載された保護パッドによる梱包態様を示す斜視図
【発明を実施するための形態】
【００１３】
以下、この発明の実施形態を添付図面に基づいて説明する。
【００１４】
図１に示すブランクから成る梱包用の保護パッドＰ1は、同図に示すブランクから成るトレイ２０に挿入されるものであり、これらはいずれも段ボール製である。
【００１５】
保護パッドＰ1のブランクでは、長方形の底板１の一対の短辺にそれぞれ側板２、天板４及び巻込部６が連設され、側板２の両側辺には、それぞれ側板３が連設されている。そして、これらの側板３の組立時に上辺となる天板４側の端辺には、それぞれ付属固定板５が連設されている。
【００１６】
底板１の一方の長辺には、中央部から巻込部７が連設され、底板１の他方の長辺には、両方の側板２寄りにそれぞれ巻込部８が連設されている。底板１と両方の側板２の境界部には、２本のスリット間に帯状の押込部９が形成され、押込部９の中間部には、段ボールを表面から押圧した逆折用の押罫線が幅方向に入れられている。
【００１７】
側板３と付属固定板５の境界には、段ボールを裏面から押圧した通常の押罫線である根元罫線１０が入れられ、この境界部には、付属固定板５への切込により、係止片３ａが設けられている。天板４には、係止片３ａが押し込まれる係止穴４ａが両側部に穿設され、天板４の両側辺には、折曲片４ｂが連設されている。
【００１８】
付属固定板５には、根元罫線１０と先端との間に、幅方向に延びる高さ可変罫線１１が２本間隔を開けて入れられている。高さ可変罫線１１は、段ボールを裏面から押圧した通常の押罫線とされている。
【００１９】
付属固定板５の先端とこれに近接する高さ可変罫線１１の間には、付属固定板５同士の係合のため、切込により係合片５ａが設けられ、高さ可変罫線１１の中間部には、バンド掛けに際してバンドが係入される係入穴１１ａが穿設されている。
【００２０】
天板４の幅方向中間部には、後述のように天板４に載せられた副梱包物のずれ動きを防止するため、ストッパ片１２が切込により側板２との境界から順次間隔をあけて２個ずつ設けられている。
【００２１】
一方、トレイ２０のブランクは、保護パッドＰ1の底板１よりも一回り大きい長方形の底壁２１の対向する長辺に側壁２２を連設し、底壁２１の対向する短辺に二重構造をなす側壁２３を連設し、側壁２２の両側に折込片２４を連設した構成とされている。また、底壁２１と側壁２２の境界部に、バンド掛けする位置に対応して、２本の切目線２０ａが二組ずつ入れられている。
【００２２】
このようなブランクから成る保護パッドＰ1及びトレイ２０を梱包に使用する際には、図２に示すように、まず、トレイ２０を組み立てる。その組み立てに際しては、底壁２１から側壁２２を起立させ、折込片２４を内側へ折り曲げ、側壁２３を巻き込むように折り曲げて、側壁２３で折込片２４を抱持することにより保形する。
【００２３】
次に、図３に示すように、保護パッドＰ1において、巻込部６，７，８をそれぞれ角筒状に巻き込み、係合用の突起を穴に押し込むことにより、巻込部６を天板４の裏面に、巻込部７，８を底板１の上面にそれぞれ保形された状態で固定する。そして、底板１から側板２を起立させ、押込部９を中間部で逆折りとなるように押し込む。なお、図３では、後述する主梱包物Ｍ1の載置状態を仮想線で図示している。
【００２４】
その後、側板２から側板３を底板１の長辺に沿うように内側へ折り曲げ、天板４から折曲片４ｂを組立時に下方となる方向へ折り曲げる。
【００２５】
そして、図４に示すように、保護パッドＰ1の下部をトレイ２０に挿入し、電気温水器等の主梱包物Ｍ1を巻込部７，８に載せ、主梱包物Ｍ1の両側面下部を押込部９に沿わせることにより、主梱包物Ｍ1の水平方向への移動を阻止する。
【００２６】
次に、天板４を主梱包物Ｍ1の上方に被せるように折り曲げ、側板３の内面に折曲片４ｂを沿わせ、巻込部６を主梱包物Ｍ1の上面に当接させ、この状態で、係止片３ａを係止穴４ａに押し込んで側板３と天板４とを結合し、主梱包物Ｍ1を両側から保持する保護パッドＰ1の組立形状を維持する。
【００２７】
このように主梱包物Ｍ1を梱包した後、副梱包物としての付属品がない場合には、図５及び図８（ａ）に示すように、付属固定板５を根元罫線１０に沿って天板４に重ねるように折り曲げ、バンド２５を各組の２本の切目線２０ａの間及び係止片３ａの基部を通るように巻き掛けて緊締し、梱包を完了する。
【００２８】
また、図６及び図８（ｂ）に示すように、主梱包物Ｍ1と小型の付属品収納箱等の副梱包物Ｓ1とを同梱する場合には、天板４において側板２との境界から離れた内側のストッパ片１２を引き起こし、副梱包物Ｓ1を天板４の上面に載せて、副梱包物Ｓ1の両側面下部をストッパ片１２に沿わせる。
【００２９】
そして、付属固定板５を、２本の高さ可変罫線１１のうち、根元罫線１０寄りの高さ可変罫線１１に沿って天板４の上方へ折り曲げ、付属固定板５の先端部同士を重ね合わせ、係合片５ａを重なり合った状態で下方へ折り曲げて、付属固定板５の折曲状態を維持すると共に、副梱包物Ｓ1の両側面上部を係合片５ａに沿わせ、バンド２５を各組２本の切目線２０ａの間及び係入穴１１ａを通るように巻き掛けて緊締し、梱包を完了する。
【００３０】
この状態では、ストッパ片１２及び係合片５ａにより、天板４の上面における付属固定板５で抱持されない方向への副梱包物Ｓ1のずれ動きが防止されるので、輸送途中での副梱包物Ｓ1の脱落が防止される。
【００３１】
また、図７及び図８（ｃ）に示すように、主梱包物Ｍ1と大型の付属品収納箱等の副梱包物Ｓ2とを同梱する場合には、天板４において側板２との境界寄りに位置する外側のストッパ片１２を引き起こし、副梱包物Ｓ2を天板４の上面に載せて、副梱包物Ｓ2の両側面下部をストッパ片１２に沿わせる。
【００３２】
そして、付属固定板５を、２本の高さ可変罫線１１のうち、先端寄りの高さ可変罫線１１に沿って天板４の上方へ折り曲げ、付属固定板５の先端部分を副梱包物Ｓ2の上面に沿わせ、バンド２５を各組２本の切目線２０ａの間及び係入穴１１ａを通るように巻き掛けて緊締し、梱包を完了する。
【００３３】
この状態では、ストッパ片１２により、天板４の上面における付属固定板５で抱持されない方向への副梱包物Ｓ2のずれ動きが防止されるので、輸送途中での副梱包物Ｓ2の脱落が防止される。
【００３４】
上記のような保護パッドＰ1によると、主梱包物Ｍ1を底板１、側板２，３及び天板４で保護すると共に、様々なサイズの副梱包物Ｓ1，Ｓ2を天板４に載せ、高さ可変罫線１１に沿って折り曲げた付属固定板５で保護した状態で同梱でき、また、副梱包物がない場合には、付属固定板５を根元罫線１０で折り曲げて天板４の上面に重ねておくことができるので、複数種の保護パッドを用意する必要がなくなり、資材管理や梱包作業の負担を軽減することができる。
【００３５】
なお、上記実施形態では、付属固定板５にそれぞれ２本の高さ可変罫線１１を入れたものを例示したが、高さ可変罫線１１は、同梱する副梱包物のサイズの種類に応じて、付属固定板５にそれぞれ１本又は３本以上入れるようにしてもよい。
【００３６】
また、側板２の両側辺にそれぞれ側板３を連設したものを例示したが、側板３は、底板１の周囲各辺のうち、側板２が連設された辺とは異なる辺に連設してもよい。また、一対の側板３を有するものを例示したが、側板３は、四角形の底板１の一辺のみ又は三辺に臨む部分から立ち上がるようにしてもよい。
【００３７】
また、側板２の上辺に天板４が連設され、一対の側板３の上辺に付属固定板５が連設されたものを例示したが、側板２の上辺に付属固定板５を連設し、少なくともいずれかの側板３の上辺に天板４を連設してもよい。
【００３８】
また、底板１の両側にそれぞれ設けた側板２、一対の側板３及び天板４で主梱包物を両側から保持するものとしたが、底板１の四隅ごとにその角を挟む側板２，３と天板４とを設け、主梱包物を四隅から保持するようにしてもよい。
【符号の説明】
【００３９】
Ｐ1  保護パッド
１  底板
２，３  側板
３ａ  係止片
４  天板
４ａ  係止穴
４ｂ  折曲片
５  付属固定板
５ａ  係合片
６，７，８  巻込部
９  押込部
１０  根元罫線
１１  高さ可変罫線
１１ａ  係入穴
１２  ストッパ片
２０  トレイ
２０ａ  切目線
２１  底壁
２２，２３  側壁
２４  折込片
２５  バンド
Ｍ1  主梱包物
Ｓ1，Ｓ2  副梱包物
【図１】
0006317198.tif 000002
【図２】
0006317198.tif 000003
【図３】
0006317198.tif 000004
【図４】
0006317198.tif 000005
【図５】
0006317198.tif 000006
【図６】
0006317198.tif 000007
【図７】
0006317198.tif 000008
【図８】
0006317198.tif 000009
【図９】
0006317198.tif 000010
【図１０】
0006317198.tif 000011